(57)【要約】【課題】ＥＮＵＭサーバへの問合せを低減する。【解決手段】受信部１３が、着側端末の通信網情報を問い合わせるために通信制御装置５からＥＮＵＭサーバ３へ向けて送信された問合せ情報を受信し、第１判定部１８が、該問合せ情報に対する通信網情報をＥＮＵＭサーバへ問合せるかを収容電話番号リストＬ１を用いて判定し、着側端末の着番号が該リストＬ１に該当する場合、返信部１４が、ＥＮＵＭサーバ３へ問合せを行うことなく問合せ結果（応答情報）を通信制御装置５へ返信する。【選択図】図８
2016213697.tif 000002
【特許請求の範囲】
【請求項１】
端末が収容される通信網に関する通信網情報を提供するＥＮＵＭサーバと、前記通信網情報を用いて端末間の通信接続を制御する通信制御装置との間に接続されたアクセス制御装置において、
着側端末の通信網情報を問い合わせるために前記通信制御装置から前記ＥＮＵＭサーバへ向けて送信された問合せ情報を受信する受信手段と、
前記問合せ情報に対する通信網情報を前記ＥＮＵＭサーバへ問合せるかを所定の判定条件を用いて判定する判定手段と、
前記着側端末が前記所定の判定条件に該当する場合、前記ＥＮＵＭサーバへ問合せを行うことなく問合せ結果を前記通信制御装置へ返信する返信手段と、
を有することを特徴とするアクセス制御装置。
【請求項２】
前記判定手段は、互いに異なる判定条件を用いてそれぞれ前記判定を行う複数の判定手段であって、
予め設定された送信順序に基づき、前記問合せ情報を最初に第１の判定手段へ送信し、前記第１の判定手段で判定できない場合は次に第２の判定手段へ送信することを、複数の判定手段に対して繰り返す主判定手段と、
最後の判定手段で判定できない場合、前記問合せ情報を前記ＥＮＵＭサーバへ転送する転送手段と、
を更に備えることを特徴とする請求項１に記載のアクセス制御装置。
【請求項３】
発側端末と同一の通信網に収容された着側端末に関する電話番号と、当該着側端末が収容される通信網に関する通信網情報とを関連付けた第１の判定条件リストを記憶しておく記憶手段を更に備え、
前記判定手段は、
前記問合せ情報に含まれる着側端末の電話番号が前記第１の判定条件リストに含まれている場合、当該電話番号に対応する通信網情報を当該第１の判定条件リストから読み出して前記問合せ結果として前記返信手段へ送信することを特徴とする請求項１又は２に記載のアクセス制御装置。
【請求項４】
前記ＥＮＵＭサーバへの問合せを必要としない電話番号帯を登録した第２の判定条件リストを記憶しておく記憶手段を更に備え、
前記判定手段は、
前記問合せ情報に含まれる着側端末の電話番号が前記第２の判定条件リストに含まれている場合、エラー情報を前記問合せ結果として前記返信手段へ送信することを特徴とする請求項１乃至３のいずれかに記載のアクセス制御装置。
【請求項５】
前記ＥＮＵＭサーバへの問合せを必要としない時間帯を電話番号帯毎に登録した第３の判定条件リストを記憶しておく記憶手段と、
前記ＥＮＵＭサーバから受信していた着側端末の電話番号に対する通信網情報と、当該通信網情報の有効期限とを関連付けた第４の判定条件リストをキャッシュデータとして記憶しておく記憶手段と、を更に備え、
前記判定手段は、
前記問合せ情報に含まれる着側端末の電話番号が前記第３の判定条件リストに含まれ、かつ、判定時刻が当該電話番号に対応する時間帯に該当する場合、前記問合せ情報をキャッシュ制御手段へ送信し、
前記キャッシュ制御手段は、
前記問合せ情報に含まれる着側端末の電話番号が前記第４の判定条件リストに含まれている場合、当該電話番号に対応する通信網情報を当該第４の判定条件リストから読み出して前記問合せ結果として前記返信手段へ送信し、更に当該電話番号に対応する通信網情報の有効期限を延長することを特徴とする請求項１乃至４のいずれかに記載のアクセス制御装置。
【請求項６】
前記ＥＮＵＭサーバから受信していた着側端末の電話番号に対する通信網情報と、当該通信網情報の有効期限とを関連付けた第４の判定条件リストをキャッシュデータとして記憶しておく記憶手段と、
前記ＥＮＵＭサーバにアクセスできない場合、当該第４の判定条件リストに含まれている全ての有効期限を無効にするキャッシュ制御手段と、
を更に備えることを特徴とする請求項１乃至５のいずれかに記載のアクセス制御装置。
【請求項７】
アクセス制御装置で行うアクセス制御方法において、
前記アクセス制御装置は、
端末が収容される通信網に関する通信網情報を提供するＥＮＵＭサーバと、前記通信網情報を用いて端末間の通信接続を制御する通信制御装置との間に接続され、
着側端末の通信網情報を問い合わせるために前記通信制御装置から前記ＥＮＵＭサーバへ向けて送信された問合せ情報を受信する受信ステップと、
前記問合せ情報に対する通信網情報を前記ＥＮＵＭサーバへ問合せるかを所定の判定条件を用いて判定する判定ステップと、
前記着側端末が前記所定の判定条件に該当する場合、前記ＥＮＵＭサーバへ問合せを行うことなく問合せ結果を前記通信制御装置へ返信する返信ステップと、
を有することを特徴とするアクセス制御方法。
【請求項８】
請求項１乃至６のいずれかに記載のアクセス制御装置としてコンピュータを機能させることを特徴とするアクセス制御プログラム。
【発明の詳細な説明】
【技術分野】
【０００１】
本発明は、ＥＮＵＭサーバへの問合せを制御する技術に関する。
【背景技術】
【０００２】
ＩＰ技術による電気通信事業者ネットワーク間の相互接続の開始に向けて、ＤＮＳ（Domain Name System）の運用形態を利用しつつＩＰ電話等の電話番号をドメイン名として名前解決を行うＥＮＵＭ（E.164 NUmber Mapping）を用いた番号解決が事業者間で議論されている。ＥＮＵＭは、公衆交換電話網の電話番号体系をインターネットのＩＰアドレス体系と統合する電話番号マッピングの代表的な規格である。
【０００３】
ＮＧＮ（Next Generation Network）等のＩＰネットワークによる通信サービスでは、ＩＭＳ（IP Multimedia Subsystem）が中心となって接続処理を行う。該ＩＰネットワークでは、発側事業者ネットワークの通信制御装置（Ｓ−ＣＳＣＦ：Serving Call Session Control Function）がＥＮＵＭサーバに着信の電話番号を用いて問合せを行い、ＥＮＵＭサーバは着側端末を収容する着側事業者ネットワークの情報を応答する。その後、発側事業者ネットワークの通信制御装置は、該情報に従って接続処理を行う。
【０００４】
例えば、発側端末が第１の事業者ネットワーク（番号帯：03-0000、ドメイン名：example1.ne.jp）に収容され、着側端末が第２の事業者ネットワーク（番号帯：050-0000、ドメイン名：example2.ne.jp）に収容されている場合、発側端末を収容する通信制御装置が着番号である“050-0000-2222”を用いて問合せを行うと、ＥＮＵＭサーバは該電話番号に対応する“example2.ne.jp”のドメイン名を応答する。仮に着側端末も第１の事業者ネットワークに収容されているのであれば、“example1.ne.jp”のドメイン名が応答される。すなわち、ＥＮＵＭサーバは着側端末を収容する通信網情報（番号ポータビリティが行われた場合は移転先の通信網情報）を提供し、通信制御装置は該通信網情報を用いて着側端末に接続する。
【０００５】
このとき、通信制御装置からの多数の問合せによるＥＮＵＭサーバの過負荷、輻輳が懸念される。これを回避するため、ＥＮＵＭキャッシュサーバを用いる方法がある。ＥＮＵＭキャッシュサーバは、ＥＮＵＭサーバと通信制御装置との間に配備され、通信制御装置からの問合せに対する応答の情報を一時的に蓄積する。そして、通信制御装置は、まずＥＮＵＭキャッシュサーバに問合せを行う。ＥＮＵＭキャッシュサーバは、該当の情報を蓄積している場合、これに応答する。一方、該当の情報が無ければ、ＥＮＵＭキャッシュサーバは、次にＥＮＵＭサーバに問合せて該当の情報を取得し、これを通信制御装置に応答するとともに一時的に一定時間だけ蓄積する。
【０００６】
このとき、ＥＮＵＭキャッシュサーバが一時的に蓄積する情報は一定時間だけ蓄積するものであり、一定時間が経過するとＥＮＵＭキャッシュサーバからＥＮＵＭサーバへの問合せが必要となる。このため、特許文献１では、問合せを行う電話番号毎の問合せ回数をカウントし、一定回数を超えた場合は蓄積する時間を延長することで、ＥＮＵＭサーバへの問合せを低減させる方法を発明している。
【０００７】
また、番号ポータビリティが導入され、端末の移転により接続先となる事業者ネットワークが変更となる可能性が高く、ＥＮＵＭキャッシュサーバが一時的に蓄積している着側端末の着側事業者ネットワークの情報が陳腐化することが多い。この場合、ＥＮＵＭキャッシュサーバは、通信制御装置に対してエラーを応答し、一時的な蓄積が終了した後にＥＮＵＭサーバへ問合せを行い、該情報を更新する。従って、その度にＥＮＵＭサーバへの問合せが発生することになる。このため、特許文献２では、一時的な蓄積のためのタイマー管理を行うことなく、ＥＮＵＭキャッシュサーバが応答した情報に基づいて接続した結果、着信先の事業者ネットワークに接続先となる端末が収容されていない場合にのみ、ＥＮＵＭキャッシュサーバがＥＮＵＭサーバに問合せ情報を更新することで、ＥＮＵＭサーバへの問合せ極力回避する方法を発明している。
【先行技術文献】
【特許文献】
【０００８】
【特許文献１】特開２０１４−２１１７５８号公報
【特許文献２】特開２０１３−２４３５７７号公報
【発明の概要】
【発明が解決しようとする課題】
【０００９】
昨今、スマートフォンによるモバイルアクセスの急増とこれらの番号ポータビリティによる加入ネットワークの移転の増加により、ＥＮＵＭサーバへの問合せ回数が更に増加しており、その問合せ回数の低減が一層必要となっている。しかし、前述したいずれの発明も一定時間が経過する毎にＥＮＵＭサーバへ問合せを行うため、ＥＮＵＭサーバの過負荷、輻輳を確実に排除できるとは言い難い。
【００１０】
本発明は、上記事情を鑑みてなされたものであり、ＥＮＵＭサーバへの問合せを低減することを目的とする。
【課題を解決するための手段】
【００１１】
以上の課題を解決するため、請求項１に記載のアクセス制御装置は、端末が収容される通信網に関する通信網情報を提供するＥＮＵＭサーバと、前記通信網情報を用いて端末間の通信接続を制御する通信制御装置との間に接続されたアクセス制御装置において、着側端末の通信網情報を問い合わせるために前記通信制御装置から前記ＥＮＵＭサーバへ向けて送信された問合せ情報を受信する受信手段と、前記問合せ情報に対する通信網情報を前記ＥＮＵＭサーバへ問合せるかを所定の判定条件を用いて判定する判定手段と、前記着側端末が前記所定の判定条件に該当する場合、前記ＥＮＵＭサーバへ問合せを行うことなく問合せ結果を前記通信制御装置へ返信する返信手段と、を有することを要旨とする。
【００１２】
請求項２に記載のアクセス制御装置は、請求項１に記載のアクセス制御装置において、前記判定手段は、互いに異なる判定条件を用いてそれぞれ前記判定を行う複数の判定手段であって、予め設定された送信順序に基づき、前記問合せ情報を最初に第１の判定手段へ送信し、前記第１の判定手段で判定できない場合は次に第２の判定手段へ送信することを、複数の判定手段に対して繰り返す主判定手段と、最後の判定手段で判定できない場合、前記問合せ情報を前記ＥＮＵＭサーバへ転送する転送手段と、を更に備えることを要旨とする。
【００１３】
請求項３に記載のアクセス制御装置は、請求項１又は２に記載のアクセス制御装置において、発側端末と同一の通信網に収容された着側端末に関する電話番号と、当該着側端末が収容される通信網に関する通信網情報とを関連付けた第１の判定条件リストを記憶しておく記憶手段を更に備え、前記判定手段は、前記問合せ情報に含まれる着側端末の電話番号が前記第１の判定条件リストに含まれている場合、当該電話番号に対応する通信網情報を当該第１の判定条件リストから読み出して前記問合せ結果として前記返信手段へ送信することを要旨とする。
【００１４】
請求項４に記載のアクセス制御装置は、請求項１乃至３のいずれかに記載のアクセス制御装置において、前記ＥＮＵＭサーバへの問合せを必要としない電話番号帯を登録した第２の判定条件リストを記憶しておく記憶手段を更に備え、前記判定手段は、前記問合せ情報に含まれる着側端末の電話番号が前記第２の判定条件リストに含まれている場合、エラー情報を前記問合せ結果として前記返信手段へ送信することを要旨とする。
【００１５】
請求項５に記載のアクセス制御装置は、請求項１乃至４のいずれかに記載のアクセス制御装置において、前記ＥＮＵＭサーバへの問合せを必要としない時間帯を電話番号帯毎に登録した第３の判定条件リストを記憶しておく記憶手段と、前記ＥＮＵＭサーバから受信していた着側端末の電話番号に対する通信網情報と、当該通信網情報の有効期限とを関連付けた第４の判定条件リストをキャッシュデータとして記憶しておく記憶手段と、を更に備え、前記判定手段は、前記問合せ情報に含まれる着側端末の電話番号が前記第３の判定条件リストに含まれ、かつ、判定時刻が当該電話番号に対応する時間帯に該当する場合、前記問合せ情報をキャッシュ制御手段へ送信し、前記キャッシュ制御手段は、前記問合せ情報に含まれる着側端末の電話番号が前記第４の判定条件リストに含まれている場合、当該電話番号に対応する通信網情報を当該第４の判定条件リストから読み出して前記問合せ結果として前記返信手段へ送信し、更に当該電話番号に対応する通信網情報の有効期限を延長することを要旨とする。
【００１６】
請求項６に記載のアクセス制御装置は、請求項１乃至５のいずれかに記載のアクセス制御装置において、前記ＥＮＵＭサーバから受信していた着側端末の電話番号に対する通信網情報と、当該通信網情報の有効期限とを関連付けた第４の判定条件リストをキャッシュデータとして記憶しておく記憶手段と、前記ＥＮＵＭサーバにアクセスできない場合、当該第４の判定条件リストに含まれている全ての有効期限を無効にするキャッシュ制御手段と、を更に備えることを要旨とする。
【００１７】
請求項７に記載のアクセス制御方法は、アクセス制御装置で行うアクセス制御方法において、前記アクセス制御装置は、端末が収容される通信網に関する通信網情報を提供するＥＮＵＭサーバと、前記通信網情報を用いて端末間の通信接続を制御する通信制御装置との間に接続され、着側端末の通信網情報を問い合わせるために前記通信制御装置から前記ＥＮＵＭサーバへ向けて送信された問合せ情報を受信する受信ステップと、前記問合せ情報に対する通信網情報を前記ＥＮＵＭサーバへ問合せるかを所定の判定条件を用いて判定する判定ステップと、前記着側端末が前記所定の判定条件に該当する場合、前記ＥＮＵＭサーバへ問合せを行うことなく問合せ結果を前記通信制御装置へ返信する返信ステップと、を有することを要旨とする。
【００１８】
請求項８に記載のアクセス制御プログラムは、請求項１乃至６のいずれかに記載のアクセス制御装置としてコンピュータを機能させることを要旨とする。
【発明の効果】
【００１９】
本発明によれば、ＥＮＵＭサーバへの問合せを低減することができる。
【図面の簡単な説明】
【００２０】
【図１】本発明の概要を説明するための図である。
【図２】本発明の概要を説明するための図である。
【図３】本発明の概要を説明するための図である。
【図４】本発明の概要を説明するための図である。
【図５】ＥＮＵＭアクセス判定装置の機能ブロック構成を示す図である。
【図６】ＥＮＵＭアクセス判定装置の外部装置との接続構成を示す図である。
【図７】ＥＮＵＭアクセス判定装置の機能ブロック構成を示す図である。
【図８】本実施の形態に係る動作手順を説明するための図である。
【図９】本実施の形態に係る動作手順を説明するための図である。
【図１０】本実施の形態に係る動作手順を説明するための図である。
【図１１】本実施の形態に係る動作手順を説明するための図である。
【発明を実施するための形態】
【００２１】
本発明は、上記課題を解決するため、ＥＮＵＭキャッシュサーバに代えて、ＥＮＵＭキャッシュサーバにＥＮＵＭアクセス判定を行う機能を付加したＥＮＵＭアクセス判定装置１を配備し、各種の情報の利用によりＥＮＵＭサーバ３への問合せを行うかを判定することで、可能な限りＥＮＵＭサーバ３への問合せを回避する方法を提案する。まず、図１〜図４を用いて本発明の概要を説明する。
【００２２】
＜着側端末が発側端末と同一の事業者に収容されている場合＞
最初に、図１を用いて、発側端末と着側端末が同一の事業者に加入している場合において、ＥＮＵＭサーバへの問合せを回避する方法を説明する。本方法では、該事業者のネットワークが収容するユーザの電話番号を事前にリストへ登録しておき、着番号が該リストのエントリーに合致する場合、ＥＮＵＭサーバへの問合せを行わず、リストに登録された着番号に対応する応答情報を応答する。
【００２３】
ここで、応答情報とは、背景技術で説明した「着側端末を収容する着側事業者ネットワークの情報」、「着側端末を収容する通信網情報」である。例えば、事業者ネットワークのドメイン名である。本方法では発側端末と着側端末が同一の事業者に加入しているため、該応答情報を当然に設定可能である。
【００２４】
本方法では、ＥＮＵＭアクセス判定装置１は、第１の事業者ネットワークＮ１に収容するユーザの電話番号と接続処理に必要な応答情報とを対応させた収容電話番号リストＬ１を保持しておく。そして、該リストＬ１と着側端末２００の番号とを比較して含まれている場合、第１の事業者ネットワークＮ１に着側端末２００が存在すると判定できるため、ＥＮＵＭアクセス判定装置１は、ＥＮＵＭサーバ３へ問合せることなく着側端末２００に対応する応答情報を返却する。その後、該応答情報に従って、通信制御装置５は、着側端末２００へ接続し、発側端末１００と着側端末２００との間の通信接続を確立する。図１では、着側端末２００の電話番号“03-0000-2222”が収容電話番号リストＬ１に含まれる場合を示し、接続処理の手順の流れはＳ１０１→Ｓ１０２→Ｓ１０３→Ｓ１０４→Ｓ１０５となる。
【００２５】
一方、着側端末２００の番号が収容電話番号リストＬ１に含まれていない場合、図２、図３を用いて後述する別の方法を用いるか、又は、ＥＮＵＭアクセス判定装置１を成すＥＮＵＭキャッシュサーバへ問合せ、キャッシュテーブルにも含まれていなければＥＮＵＭサーバ３へ問合せる（Ｓ１０６）。
【００２６】
なお、収容電話番号リストＬ１の作成方法としては、オペレーションシステム７からＥＮＵＭアクセス判定装置１に直接設定する方法（Ｓ１０７）、加入者データ保持装置（ＨＳＳ：Home Subscriber Server）と同期する方法(Ｓ１０８)がある。
【００２７】
＜ＥＮＵＭサーバへの問合せが不要な番号帯の場合＞
次に、図２を用いて、番号計画上の理由より番号ポータビリティが提供されていない番号帯、事業者間の協議でＥＮＵＭサーバの管理の対象でないことが明らかな番号帯等、ＥＮＵＭサーバの規格外の番号帯への着信の場合における、ＥＮＵＭサーバへの問合せを回避する方法を説明する。本方法では、ＥＮＵＭサーバの規格外の番号帯が存在する場合、これを事前にリストとして登録しておき、着番号が該リストのエントリーに合致する場合、ＥＮＵＭサーバへの問合せを回避する。
【００２８】
本方法では、ＥＮＵＭアクセス判定装置１は、ＥＮＵＭサーバ３の規格外の番号帯をエントリーしたＥＮＵＭアクセス不要着番号帯リストＬ２を保持しておく。そして、該リストＬ２と着側端末２００の番号帯とを比較して含まれている場合、ＥＮＵＭサーバ３の規格外の番号帯であると判定し、ＥＮＵＭサーバ３に問合せをしても接続先が解決できないことが自明であることから、ＥＮＵＭサーバ３に問合せることなく通信制御装置５にエラーを応答する。図２では、ＥＮＵＭサーバ３の管理対象でない第２の事業者ネットワークＮ２の番号帯“050-0000”へ接続するときに、ＥＮＵＭアクセス判定装置１が通信制御装置５にエラーを返す場合を示しており、接続処理の手順の流れはＳ２０１→Ｓ２０２→Ｓ２０３→Ｓ２０４となる。
【００２９】
一方、着側端末２００の番号がＥＮＵＭアクセス不要着番号帯リストＬ２に含まれていない場合、前述した方法、若しくは、図３を用いて後述する別の方法を用いるか、又は、ＥＮＵＭアクセス判定装置１を成すＥＮＵＭキャッシュサーバへ問合せ、キャッシュテーブルに含まれていなければＥＮＵＭサーバ３へ問合せる(Ｓ２０５)。
【００３０】
なお、ＥＮＵＭアクセス不要着番号帯リストＬ２の作成方法としては、オペレーションシステム７からＥＮＵＭアクセス判定装置１に直接設定する方法（Ｓ２０６）がある。
【００３１】
＜ＥＮＵＭ情報が変更されない時間帯の場合＞
次に、図３を用いて、番号ポータビリティを受け付けない時間帯等、ＥＮＵＭサーバの情報が書き換わらないことが明らかな時間帯が存在する場合における、ＥＮＵＭサーバへの問合せを回避する方法を説明する。本方法では、ＥＮＵＭサーバの情報が変更されない時間帯が存在する場合、これを事前に事業者毎又は着番号帯毎にリストとして登録しておき、この時間帯に着信があった場合、ＥＮＵＭサーバへの問合せを行わず、ＥＮＵＭキャッシュサーバのキャッシュテーブルの情報を応答することでＥＮＵＭサーバへの問合せを回避する。
【００３２】
本方法では、ＥＮＵＭアクセス判定装置１は、ＥＮＵＭアクセス不要な時間帯を着番号帯毎にエントリーしたＥＮＵＭアクセス不要時間帯リストＬ３を保持しておく。そして、該リストＬ３と着側端末２００の番号帯とを比較してリストに含まれ、かつ、判定時刻が対応する時間帯に該当する場合、ＥＮＵＭサーバ３へ問合せることなく、ＥＮＵＭキャッシュサーバの持つ既存のキャッシュテーブルＬ４を参照する。該キャッシュテーブルＬ４には、背景技術で説明したように、通信制御装置５からＥＮＵＭサーバ３への問合せに対する応答情報がキャッシュ情報の有効期限を示すタイマー情報と共に一時的に蓄積されている。そして、該着番号がエントリーされている場合、これに対応する応答情報を返却する。また、該時間帯についてはＥＮＵＭサーバ３の情報が書き換わらないため、一時的に情報を蓄積するためのタイマーの残り時間に関わらずキャッシュテーブルＬ４のエントリーをＥＮＵＭアクセス不要時間帯リストＬ３の該当の時間帯まで有効にしておくことで、ＥＮＵＭサーバ３への問合せを回避する。図３では、着側端末２００の電話番号“050-0000-2222”の番号帯“050-0000”がＥＮＵＭアクセス不要時間帯リストＬ３にエントリーされ、該電話番号がキャッシュテーブルＬ４にもエントリーされ、キャッシュテーブルＬ４からの応答情報を返却する場合を示しており、接続処理の手順の流れはＳ３０１→Ｓ３０２→Ｓ３０３→Ｓ３０４→Ｓ３０５となる。
【００３３】
一方、着側端末２００の番号がＥＮＵＭアクセス不要時間帯リストＬ３にエントリーされていない場合、エントリーされているが判定時刻が対応する時間帯に該当しない場合、又は、キャッシュテーブルＬ４にエントリーされていない場合は、前述した方法を用いるか、それでも解決ができない場合はＥＮＵＭサーバ３へ問合せる（Ｓ３０６）。
【００３４】
なお、ＥＮＵＭアクセス不要時間帯リストＬ３の作成方法としては、オペレーションシステム７からＥＮＵＭアクセス判定装置１に直接設定する方法(Ｓ３０７)がある。
【００３５】
＜ＥＮＵＭサーバへアクセスできない場合＞
次に、図４を用いて、ＥＮＵＭサーバやネットワーク機器の故障等によりＥＮＵＭサーバを用いた着信先の解決が不可能と判断した場合における、ＥＮＵＭサーバへの問合せを回避する方法を説明する。本方法では、ＥＮＵＭサーバへアクセスできない場合、その時点で保持しているキャッシュ情報を有効期限に関わらず保持し続けてこれを応答することで、故障等でアクセスできないＥＮＵＭサーバへの無効な問合せを回避する。
【００３６】
本方法では、まず、通信制御装置５が、ＥＮＵＭアクセス判定装置１を介してＥＮＵＭサーバ３へ問合せを行う。そして、ＥＮＵＭアクセス判定装置１は、問合せに対する応答が無い場合、又は、ＥＮＵＭサーバ３若しくはネットワーク機器から故障等を示す応答を受信した場合、ＥＮＵＭサーバ３への問合せができないと判断し、ＥＮＵＭアクセス判定装置１を成すＥＮＵＭキャッシュサーバのキャッシュテーブルＬ４の全てのエントリーについて一時的に情報を蓄積するためのタイマーの残り時間に関わらず蓄積する。例えば、タイマー情報に設定されている残り時間の更新を停止する。これによりキャッシュテーブルＬ４での応答情報の蓄積を永続させ、ＥＮＵＭサーバ３への問合せを行うことなく該応答情報で常に応答する。図４では、ＥＮＵＭサーバ３が故障した場合を示しており、接続処理の手順の流れはＳ４０１→Ｓ４０２→Ｓ４０３→Ｓ４０４→Ｓ４０５となる。
【００３７】
本発明の概要説明は以上である。これら４つのうち１つの方法のみを用いる方法、１つの方法を実施した後に残りの方法を実施する方法、任意の方法を任意の順番で実施する方法等も考えられる。本仕組みを用いることで、ここでは説明していない他の判定方法を組合せることも可能である。
【００３８】
次に、前述した本発明を実施する一実施の形態について説明する。
【００３９】
図５は、ＥＮＵＭアクセス判定装置１の機能ブロック構成を示す図である。図５のとおり、ＥＮＵＭキャッシュサーバにＥＮＵＭアクセス判定を行う機能を付加したＥＮＵＭアクセス判定装置１を、ＥＮＵＭサーバ３と通信制御装置５との間に介在させる。
【００４０】
ＥＮＵＭアクセス判定装置１は、通信処理部１１と、転送部１２と、受信部１３と、返信部１４と、主判定部１５と、キャッシュ処理部１６と、キャッシュ判定部１７と、第１判定部１８と、第２判定部１９と、第３判定部２０と、キャッシュ部２１と、収容電話番号リスト記憶部２２と、ＥＮＵＭアクセス不要着番号帯リスト記憶部２３と、ＥＮＵＭアクセス不要時間帯リスト記憶部２４と、オペレーションインタフェース部２５と、ＨＳＳ同期部２６と、を備えて構成される。これらの各機能部は、相互通信可能に接続されている。
【００４１】
また、図６のとおり、キャッシュ部２１はキャッシュテーブルＬ４を記憶し、収容電話番号リスト記憶部２２は収容電話番号リストＬ１を記憶し、ＥＮＵＭアクセス不要着番号帯リスト記憶部２３はＥＮＵＭアクセス不要着番号帯リストＬ２を記憶し、ＥＮＵＭアクセス不要時間帯リスト記憶部２４はＥＮＵＭアクセス不要時間帯リストＬ３を記憶する。
【００４２】
次に、これら各機能部の機能について説明する。
【００４３】
通信処理部１１は、ＥＮＵＭアクセス判定装置１の外部装置である通信制御装置５又はＥＮＵＭサーバ３からの情報を内部の受信部１３で受信するための通信インタフェースの機能、及び、内部の転送部１２の情報をＥＮＵＭサーバ３へ送信し、返信部１４の情報を通信制御装置５へ送信するための通信インタフェースの機能を担う。
【００４４】
転送部１２は、ＥＮＵＭアクセス判定装置１の内部の他の機能部から情報を受信し、通信処理部１１を介してＥＮＵＭサーバ３へ送る。
【００４５】
受信部１３は、通信制御装置５からの情報を通信処理部１１を介して受信し、主判定部１５へ送る。これは、着側端末の着番号を含む問合せ情報を受信し、ＥＮＵＭサーバ３へ問合せるべきかの判定を主判定部１５へ依頼する処理に該当する。また、ＥＮＵＭサーバ３からの情報を通信処理部１１を介して受信し、キャッシュ処理部１６へ送る。これは、該情報に従ってキャッシュテーブルＬ４を更新する処理に該当する。
【００４６】
返信部１４は、ＥＮＵＭアクセス判定装置１の内部の他の機能部から情報を受信し、通信処理部１１を介して通信制御装置５へ送る。
【００４７】
主判定部１５は、受信部１３からの問合せ情報を受取り、ＥＮＵＭサーバ３への問合せを行うかを所定の判定条件（判定条件リスト）を用いて判定する１つ又は複数の判定部に送信して判定を依頼する。判定の依頼は、各判定部に対して順次行う。図５では、複数の判定部として、第１判定部１８と、第２判定部１９と、第３判定部２０とを具備する。これらのいずれかの判定部に判定を依頼し、該判定部から問合せ情報及び判定できなかった旨を受信した場合は、未だ該問合せ情報を送信していない別の判定部のいずれかに送信する。このとき、全ての判定部に依頼済となっていた場合は、該問合せ情報を転送部１２へ送る。
【００４８】
つまり、冒頭で説明したように、本発明では１つ以上の判定方法を用いることができるが、主判定部１５は、いずれの方法をどのような順序で試みるかを制御する機能を担う。複数の判定部に対して判定を依頼する順序を予め決めておき、一つの判定部で判定ができなければ次の判定部に依頼する。全ての判定部で判定ができない場合にのみＥＮＵＭサーバ３への問合せが必要と判断し、問合せ情報を転送部１２を介してＥＮＵＭサーバ３へ送る。なお、それら判定部への問合せ順序は、オペレーションインタフェース部２５を介して予め外部のオペレーションシステム７から設定される。
【００４９】
続いて具体的な判定処理等を行う機能について説明するが、理解を容易ならしめるため、図６に示したテーブル及びリストについて先に説明する。
【００５０】
キャッシュテーブルＬ４は、着番号、着番号の着側端末を収容するネットワークの情報である応答情報、これら着番号と応答情報の対を記憶する残り時間であるタイマー情報の３つの対をエントリーとして記憶するテーブルである。ＥＮＵＭサーバ３からの応答情報をＥＮＵＭアクセス判定装置１が受信し、これを一時的に記憶する。なお、この受信、記憶処理はＥＮＵＭキャッシュサーバが本来担当するが、本実施の形態ではＥＮＵＭアクセス判定装置１の一処理とする。
【００５１】
収容電話番号リストＬ１は、発信端末と同一のネットワークに収容される着側端末の着番号、該着側端末を収容するネットワークの情報である応答情報の対となるエントリーを記憶するリストである。
【００５２】
ＥＮＵＭアクセス不要着番号帯リストＬ２は、ＥＮＵＭサーバ３への問合せが不要な番号帯をエントリーするリストである。
【００５３】
ＥＮＵＭアクセス不要時間帯リストＬ３は、着番号帯、ＥＮＵＭへの問合せが不要である時間帯の対となるエントリーを記憶するリストである。
【００５４】
引き続き、残りの機能部について説明を続ける。
【００５５】
キャッシュ部２１は、キャッシュテーブルＬ４を蓄積する。キャッシュ処理部１６に従い、キャッシュのエントリーの登録、読み出し、消去、エントリー項目の情報の更新を行う。また、キャッシュ判定部１７により参照される。
【００５６】
収容電話番号リスト記憶部２２は、収容電話番号リストＬ１を蓄積し、第１判定部１８により参照される。また、図７のとおり、オペレーションインタフェース部２５を介して、ＥＮＵＭアクセス判定装置１の外部装置であるオペレーションシステム７により、該リストＬ１のエントリーの参照、登録、消去、エントリー項目の情報の更新が行われる。また、ＨＳＳ同期部２６を介して、ＥＮＵＭアクセス判定装置１の外部装置である加入者データ保持装置９と同期して、該収容電話番号リストＬ１を更新してもよい。
【００５７】
ＥＮＵＭアクセス不要着番号帯リスト記憶部２３は、ＥＮＵＭアクセス不要着番号帯リストＬ２を蓄積し、第２判定部１９によりに参照される。また、図７のとおり、オペレーションインタフェース部２５を介して、オペレーションシステム７により、該リストＬ２のエントリーの参照、登録、消去、エントリー項目の情報の更新が行われる。
【００５８】
ＥＮＵＭアクセス不要時間帯リスト記憶部２４は、ＥＮＵＭアクセス不要時間帯リストＬ３を蓄積し、第３判定部２０により参照される。また、図７のとおり、オペレーションインタフェース部２５を介して、オペレーションシステム２７により、該リストＬ３のエントリーの参照、登録、消去、エントリー項目の情報の更新が行われる。
【００５９】
第１判定部１８は、主判定部１５からの問合せ情報を受信し、収容電話番号リスト記憶部２２を介して収容電話番号リストＬ１を参照し、着番号が該リストＬ１にエントリーされている場合、着側端末が発信端末と同一ネットワークに収容されているものと判定し、着番号に対応する応答情報を返信部１４へ送る。着番号が該リストＬ１にエントリーされていない場合は、問合せ情報及び判定できなかった旨を主判定部１５へ送る。
【００６０】
第２判定部１９は、主判定部１５からの問合せ情報を受信し、ＥＮＵＭアクセス不要着番号帯リスト記憶部２３を介してＥＮＵＭアクセス不要着番号帯リストＬ２を参照し、着番号の番号帯が該リストＬ２にエントリーされている場合、着番号がＥＮＵＭの規格外の番号であるものと判定し、着番号に対応する応答情報としてエラー情報を返信部１４へ送る。着番号の番号帯が該リストＬ２にエントリーされていない場合は、問合せ情報及び判定できなかった旨を主判定部１５へ送る。
【００６１】
第３判定部２０は、主判定部１５からの問合せ情報を受信し、ＥＮＵＭアクセス不要時間帯リスト記憶部２４を介してＥＮＵＭアクセス不要時間帯リストＬ３を参照し、着番号の番号帯が該リストＬ３にエントリーされている場合、対応する時間帯を参照し、判定時刻が該時間帯であればＥＮＵＭサーバ３への問合せが不要であると判断し、キャッシュテーブルＬ４を参照する。このため、キャッシュ判定部１７に問合せ情報を送信する。着番号の番号帯が該リストＬ３にエントリーされていない場合、又は、エントリーされているが判定時刻が対応する時間帯に該当しない場合には、問合せ情報、時間帯、及び判定できなかった旨を主判定部１５へ送る。
【００６２】
キャッシュ判定部１７は、第３判定部２０から問合せ情報を受信した場合、キャッシュ部２１を介してキャッシュテーブルＬ４を参照し、該問合せ情報に含まれる着番号が該テーブルＬ４にエントリーされている場合、該着番号に対応する応答情報を返信部１４へ送り、更に該着番号と上記時間帯をキャッシュ処理部１６へ送る。該着番号がエントリーされていない場合は、問合せ情報及び判定できなかった旨を主判定部１５へ送る。
【００６３】
キャッシュ処理部１６は、キャッシュ判定部１７から着番号と時間帯を受信した場合、キャッシュ部２１を参照し、着番号に対応するタイマー情報を操作して、該時間帯に対応する時間分だけタイマー情報の時間を延長する。また、ＥＮＵＭサーバ３からの情報を通信処理部１１を介して受信した場合は、該情報に従ってキャッシュテーブルＬ４を更新する。更に、上述した図４の場合、つまり、ＥＮＵＭサーバ３への問合せができない場合においては、キャッシュテーブルＬ４の全てのエントリーのタイマー情報の時刻を停止させる処理を行う。ＥＮＵＭサーバ３から問合せ情報に対する応答情報が返ってきた場合は、通信処理部１１と受信部１３を介して着番号と応答情報を受信し、タイマー情報を新規に設定して着番号、応答情報、タイマー情報をキャッシュ部２１を介してキャッシュテーブルＬ４へエントリーする。
【００６４】
オペレーションインタフェース部２５は、図７のとおり、主判定部１５、収容電話番号リスト記憶部２２、ＥＮＵＭアクセス不要着番号帯リスト記憶部２３、ＥＮＵＭアクセス不要時間帯リスト記憶部２４のそれぞれがオペレーションシステム７と情報交換するための通信インタフェースの機能を担う。
【００６５】
ＨＳＳ同期部２６は、外部の加入者データ保持装置９との間で収容電話番号リストＬ１を同期し、該リストＬ１の情報を更新するための通信インタフェース機能を担う。
【００６６】
続いて、図８〜図１１を用いて本発明の動作手順を説明する。
【００６７】
＜着側端末が発側端末と同一の事業者に収容されている場合＞
最初に、発側端末と着側端末が同一の事業者に加入している場合において、ＥＮＵＭサーバへの問合せを回避する方法を説明する。
【００６８】
図８において、まず、発信端末の通信要求を通信制御装置５が受信し、着番号を含む問合せ情報を用いてＥＮＵＭアクセス判定装置１へ問合せる（Ｓ５０１）。ＥＮＵＭアクセス判定装置１では、該問合せ情報を通信処理部１１を介して受信部１３で受信し（Ｓ５０２）、主判定部１５で取得する（Ｓ５０３）。問合せ情報は、予め決められた順序で各判定部へ依頼される。ここでは、第１判定部１８→第２判定部１９→第３判定部２０の順で問合せるように設定されているものとする。
【００６９】
該設定順序に従い、主判定部１５は、まず、第１判定部１８へ問合せ情報を用いて判定を依頼する（Ｓ５０４）。判定依頼を受けた第１判定部１８は、収容電話番号リスト記憶部２２を介して収容電話番号リストＬ１を参照する（Ｓ５０５）。問合せ情報に含まれる着番号がエントリーされていれば、発信端末と着側端末が同一の事業者ネットワークに収容されているものとして判断し、ＥＮＵＭサーバ３への問合せを行わず、着番号に対応する応答情報を返信部１４へ転送し（Ｓ５０６）、通信処理部１１を介して（Ｓ５０７）、通信制御装置５へ返す（Ｓ５０８）。一方、問合せ情報に含まれる着番号が収容電話番号リストＬ１にエントリーされていない場合は、第１判定部１８から問合せ情報及び判定できなかった旨を主判定部１５へ送る（Ｓ５０９）。
【００７０】
＜ＥＮＵＭサーバへの問合せが不要な番号帯の場合＞
次に、番号計画上の理由より番号ポータビリティが提供されていない番号帯、事業者間の協議でＥＮＵＭサーバの管理の対象でないことが明らかな番号帯等、ＥＮＵＭサーバの規格外の番号帯への着信の場合における、ＥＮＵＭサーバへの問合せを回避する方法を説明する。
【００７１】
図９において、まず、発信端末の通信要求を通信制御装置５が受信し、着番号を含む問合せ情報を用いてＥＮＵＭアクセス判定装置１へ問合せる（Ｓ６０１）。ＥＮＵＭアクセス判定装置１では、該問合せ情報を通信処理部１１を介して受信部１３で受信し（Ｓ６０２）、主判定部１５で取得する（Ｓ６０３）。問合せ情報は、予め決められた順序で各判定部へ依頼される。ここでは、第２判定部１９が最初の順序で設定されているものとする。図８のＳ５０９の続きとして、第１判定部１８で判定できなかった場合に、主判定部１５が第２判定部１９へ判定を依頼する場合も同様である。
【００７２】
主判定部１５は続いて第２判定部１９へ判定を依頼し（Ｓ６０４）、第２判定部１９はＥＮＵＭアクセス不要着番号帯リスト記憶部２３を介して、ＥＮＵＭアクセス不要着番号帯リストＬ２を参照する（Ｓ６０５）。問合せ情報に含まれる番号帯がエントリーされていれば、ＥＮＵＭサーバ３の規格外の番号帯であるものと判断してＥＮＵＭサーバ３への問合せを行わず、着信先をＥＮＵＭサーバ３では解決できない旨を示すエラー情報を返信部１４へ転送し（Ｓ６０６）、通信処理部１１を介して（Ｓ６０７）、通信制御装置５へ返す（Ｓ６０８）。一方、問合せ情報に含まれる着番号がＥＮＵＭアクセス不要着番号帯リストＬ２にエントリーされていない場合は、第２判定部１９から問合せ情報及び判定できなかった旨を主判定部１５へ送る（Ｓ６０９）。
【００７３】
＜ＥＮＵＭ情報が変更されない時間帯の場合＞
次に、番号ポータビリティを受け付けない時間帯等、ＥＮＵＭサーバの情報が書き換わらないことが明らかな時間帯が存在する場合における、ＥＮＵＭサーバへの問合せを回避する方法を説明する。
【００７４】
図１０において、まず、発信端末の通信要求を通信制御装置５が受信し、着番号を含む問合せ情報を用いてＥＮＵＭアクセス判定装置１へ問合せる（Ｓ７０１）。ＥＮＵＭアクセス判定装置１では、該問合せ情報を通信処理部１１を介して受信部１３で受信し（Ｓ７０２）、主判定部１５で取得する（Ｓ７０３）。問合せ情報は、予め決められた順序で各判定部へ依頼される。ここでは、第３判定部２０が最初の順序で設定されているものとする。図８のＳ５０９や図９のＳ６０９の続きとして、第１判定部１８及び／又は第２判定部１９で判定できなかった場合に続いて主判定部１５が第３判定部２０に判定を依頼する場合も同様である。
【００７５】
主判定部１５は続いて第３判定部２０へ判定を依頼し（Ｓ７０４）、第３判定部２０はＥＮＵＭアクセス不要時間帯リスト記憶部２４を介して、ＥＮＵＭアクセス不要時間帯リストＬ３を参照する（Ｓ７０５）。問合せ情報に含まれる番号帯がエントリーされていれば、対となっている時間帯を参照する。そして、ＥＮＵＭサーバ３の情報が書き換わらないことが明らかな時間帯であり、判定時の時刻が該時間帯に一致する場合は、ＥＮＵＭサーバ３に問合せを行わず、判定をキャッシュ判定部１７へ依頼する（Ｓ７０６）。その後、キャッシュ判定部１７は、キャッシュ部２１を介してキャッシュテーブルＬ４を参照し（Ｓ７０７）、問合せ情報に含まれる着番号が該テーブルＬ４にエントリーされていれば、対応する応答情報を返信部１４へ送る（Ｓ７１０）。返信部１４は、該応答情報を通信処理部１１を介して（Ｓ７１１）、通信制御装置５へ送る（Ｓ７１２）。
【００７６】
なお、キャッシュ判定部１７は、Ｓ７０７の後でＳ７１０の前に、キャッシュ処理部１６に問合せ情報と時間帯の情報を送る（Ｓ７０８）。これを受信したキャッシュ処理部１６は、キャッシュ部２１を介してキャッシュテーブルＬ４にアクセスし、ＥＮＵＭアクセス不要時間帯リストＬ３のエントリーされていた該当の時間帯に対応する時間分だけタイマー情報の時間を延長する（Ｓ７０９）。
【００７７】
一方、問合せ情報に含まれる着番号帯がＥＮＵＭアクセス不要時間帯リストＬ３にエントリーされていない場合、又は、エントリーされているが判定時刻が対応する時間帯に該当しない場合、第３判定部２０は、問合せ情報及び判定できなかった旨を主判定部１５へ送る（Ｓ７１３）。同様に、問合せ情報に含まれる着番号がキャッシュテーブルＬ４にエントリーされていない場合、キャッシュ判定部１７は、問合せ情報及び判定できなかった旨を主判定部１５へ送る（Ｓ７１４）。
【００７８】
＜ＥＮＵＭサーバへアクセスできない場合＞
次に、ＥＮＵＭサーバやネットワーク機器の故障等によりＥＮＵＭサーバを用いた着信先の解決が不可能と判断した場合における、ＥＮＵＭサーバへの問合せを回避する方法を説明する。
【００７９】
図１１において、予め設定した全ての判定部（第１判定部１８、第２判定部１９、第３判定部２０）で判定できなかった旨の通知を受けた主判定部１５は、最後の手段として通常通りＥＮＵＭサーバ３への問合せを行う。
【００８０】
まず、主判定部１５は、問合せ情報を転送部１２へ転送し（Ｓ８０１）、通信処理部１１を介して（Ｓ８０２）、ＥＮＵＭサーバ３へ転送する（Ｓ８０３）。次に、受信部１３は、通信処理部１１を介して応答情報を受信し（Ｓ８０４、Ｓ８０５）、ＥＮＵＭサーバ３からの応答情報と判断してキャッシュ処理部１６へ転送する（Ｓ８０６）。このとき、ＥＮＵＭサーバ３又はネットワーク機器の故障等によりＥＮＵＭサーバ３から正常の応答情報が取得できなかった場合、ＥＮＵＭサーバ３への問合せを中止する判断として、キャッシュ処理部１６は、キャッシュ部２１を介して（Ｓ８０７）、キャッシュテーブルＬ４の全てのエントリーに対してタイマー情報の時刻を停止させる処理を行う。これにより、ＥＮＵＭサーバ３に問合せができない状況でも、キャッシュテーブルＬ４による応答情報の検索が可能となる。
【００８１】
以上より、本実施の形態によれば、発側端末と着側端末が同一の事業者に加入している場合、ＥＮＵＭサーバへの問合せが不要な番号帯が既知の場合、ＥＮＵＭサーバの情報が変更されない時間帯の場合、ＥＮＵＭサーバやネットワーク機器の故障によりＥＮＵＭサーバへの問合せができない場合といった各ケースについて、ＥＮＵＭサーバへの問合せの必要性をそれぞれ判定し、各ケースで用いた複数のリスト（Ｌ１〜Ｌ４）のうち少なくともいずれかに該当する場合はＥＮＵＭサーバへの問合せを行わず、問合せ結果をＥＮＵＭアクセス判定装置が自ら応答する。これにより、ＥＮＵＭサーバへの問合せを極力低減させることが可能となる。また、本実施の形態で説明した各種判定方法だけでなく他の判定方法についても本発明のフレームワークに組み込むことが可能となり、ＥＮＵＭへの問合せ回数を更に低減させることが可能となる。更に、ＥＮＵＭサーバの負荷が軽減することや、ＥＮＵＭ故障時の影響範囲の極小化等の効果も期待できる。
【００８２】
最後に、本実施の形態で説明したＥＮＵＭアクセス判定装置は、ＣＰＵ等の演算機能やメモリ等の記憶機能を備えたコンピュータで実現できる。また、ＥＮＵＭアクセス判定装置としてコンピュータを機能させるためのプログラムや該プログラムの記憶媒体を作成することも可能である。
【符号の説明】
【００８３】
１…ＥＮＵＭアクセス判定装置（アクセス制御装置）
３…ＥＮＵＭサーバ
５…通信制御装置
７…オペレーションシステム
９…加入者データ保持装置
１１…通信処理部
１２…転送部（転送手段）
１３…受信部（受信手段）
１４…返信部（返信手段）
１５…主判定部（主判定手段）
１６…キャッシュ処理部（キャッシュ制御手段）
１７…キャッシュ判定部（キャッシュ制御手段）
１８…第１判定部（判定手段）
１９…第２判定部（判定手段）
２０…第３判定部（判定手段）
２１…キャッシュ部（記憶手段）
２２…収容電話番号リスト記憶部（記憶手段）
２３…ＥＮＵＭアクセス不要着番号帯リスト記憶部（記憶手段）
２４…ＥＮＵＭアクセス不要時間帯リスト記憶部（記憶手段）
２５…オペレーションインタフェース部
２６…ＨＳＳ同期部
１００…発側端末
２００…着側端末
Ｌ１…収容電話番号リスト（第１の判定条件リスト）
Ｌ２…ＥＮＵＭアクセス不要着番号帯リスト（第２の判定条件リスト）
Ｌ３…ＥＮＵＭアクセス不要時間帯リスト（第３の判定条件リスト）
Ｌ４…キャッシュテーブル（第４の判定条件リスト）
Ｎ１…第１の事業者ネットワーク
Ｎ２…第２の事業者ネットワーク
Ｓ１０１〜Ｓ１０８、Ｓ２０１〜Ｓ２０６、Ｓ３０１〜Ｓ３０７、Ｓ４０１〜Ｓ４０５、Ｓ５０１〜Ｓ５０９、Ｓ６０１〜Ｓ６０９、Ｓ７０１〜Ｓ７１４、Ｓ８０１〜Ｓ８０７…ステップ
【図１】
2016213697.tif 000003
【図２】
2016213697.tif 000004
【図３】
2016213697.tif 000005
【図４】
2016213697.tif 000006
【図５】
2016213697.tif 000007
【図６】
2016213697.tif 000008
【図７】
2016213697.tif 000009
【図８】
2016213697.tif 000010
【図９】
2016213697.tif 000011
【図１０】
2016213697.tif 000012
【図１１】
2016213697.tif 000013